(57)【要約】      （修正有）【課題】容易にボタン電池の交換を行えるようにすると共に、ボタン電池のそれぞれの極と導通片を確実に接触させることができるようになしたボタン電池の収納構造及び当該収納構造を具備した照明ユニットを提供する。【解決手段】下ハウジング２にボタン電池４を載置する一対の受けリブを突設する。受けリブにボタン電池４を出し入れする際にボタン電池４を傾斜させることができる凹陥部９を形成すると共に、受けリブの先端部にボタン電池４の側部を抑えることができる湾曲状のガイド部を連成し、且つボタン電池の陰極側に接触し得る陰極導通片１１を一対の受けリブの間に配設する。上ハウジング３にはボタン電池４の陽極側に接触する陽極導通片１４を押接する複数の抑えリブ１３を下向きに突設した。【選択図】図２
0003170399.tif 000002
【実用新案登録請求の範囲】
【請求項１】
ユニット本体をなす下ハウジングと、この下ハウジングの上面に取付けられる上ハウジングと、この上ハウジングに設けられたボタン電池の出し入れを行うための開口部を覆う電池蓋とによって形成される電池収納室内にボタン電池を交換可能にセットするボタン電池の収納構造において、
前記下ハウジングには前記ボタン電池を載置する一対の受けリブを突設し、当該受けリブにボタン電池を出し入れする際に当該ボタン電池を傾斜させることができる凹陥部を形成すると共に、受けリブの先端部にボタン電池の側部を抑えることができる湾曲状のガイド部を連成し、且つボタン電池の陰極側に接触し得る陰極導通片を前記一対の受けリブの間に配設してなり、
前記上ハウジングにはボタン電池の陽極側に接触する陽極導通片を押接する複数の抑えリブを下向きに突設してなることを特徴とするボタン電池の収納構造。
【請求項２】
ユニット本体をなす下ハウジングと、この下ハウジングの上面に取付けられる上ハウジングと、この上ハウジングに設けられたボタン電池の出し入れを行うための開口部を覆う電池蓋と、前記下ハウジング、上ハウジング及び電池蓋によって形成される電池収納室内に交換可能にセットされるボタン電池と、このボタン電池から供給される電力によって点灯する発光ダイオードと、スライドスイッチ部を具備した小型照明ユニットであって、
前記下ハウジングには前記ボタン電池を載置する一対の受けリブを突設し、当該受けリブにボタン電池を出し入れする際に当該ボタン電池を傾斜させることができる凹陥部を形成すると共に、受けリブの先端部にボタン電池の側部を抑えることができる湾曲状のガイド部を連成し、且つボタン電池の陰極側に接触し得る陰極導通片を前記一対の受けリブの間に配設してなり、
前記上ハウジングにはボタン電池の陽極側に接触する陽極導通片を押接する複数の抑えリブを下向きに突設してなることを特徴とするボタン電池の収納構造を具備した照明ユニット。
【考案の詳細な説明】
【技術分野】
【０００１】
本考案はいわゆるボタン電池と称される円筒状小型電池を収納保持するボタン電池の収納構造及び当該収納構造を具備した照明ユニットに関する。
【背景技術】
【０００２】
リチウム電池、アルカリマンガン電池、酸化銀電池などからなるボタン型電池は、発光ダイオードなどの消費電力が小さく、外部電源とは独立した状態で電源を必要とする製品、たとえば小型照明ユニットなどに用いられている。
【０００３】
前記した手のひらにのる程度の小型照明ユニットは日常生活においてきわめて有用である。しかしながら、当該照明ユニットに用いられているボタン電池の交換は小型であるがゆえに面倒な場合が多いと共に、接触不良を生じてボタン電池からの電力の供給が遮断されることもある。このため、ボタン電池の交換を容易にすると共に、ボタン電池と導通片との接触圧を一定程度に確保するための技術が下記の特許文献に開示されている。
【０００４】
当該特許文献に開示されたボタン電池の保持方法を図６に基づいて説明すれば、上ケース５１と下ケース５２の結合により構成された電池ケース５０と、該電池ケース５０内に設けた収納穴５３に収納されるボタン電池を蓋体５４側へ付勢押圧する陰極切片５５と、該ボタン電池を該収納穴５３の側方へ付勢押圧する陽極切片５６とを備えたボタン電池の保持構造において、前記陽極切片５６と対向する前記収納穴５３周縁の位置に、該収納穴５３の中心方向に突出して設けられ、前記ボタン電池が収納されたとき該ボタン電池の側壁部を該陽極切片５６の方向に付勢押圧する少なくとも１つの弾性片５７を設けたものである。
【先行技術文献】
【特許文献】
【０００５】
【特許文献１】特開平１０−３０２７４３号公報
【考案の概要】
【考案が解決しようとする課題】
【０００６】
上記特許文献に開示されたボタン電池の保持構造によった場合、ボタン電池の側壁部を陽極切片５６の方向に付勢押圧する弾性片５７が設けられているので、製造段階における精度誤差や、外力によって陽極切片５６が多少の変形を起こしたとしても、ボタン電池と陽極切片との接触圧が一定程度確保されるため、ボタン電池からの電力の供給に支障を来たし難いという利点を奏することができる。
【０００７】
しかしながら、この従来技術によった場合は、陽極切片５６と弾性片５７とでボタン電池を押さえ込むように構成されているので、ボタン電池の交換などにおいては、この押さえ付ける力に抗してボタン電池を取り出さなければならず、高齢者や障害者など指先に力が入らない者には甚だ不便である。また、この従来技術では、ボタン電池を、陰極切片５５、陽極切片５６及び弾性片５７とで保持する構成となっているため、構成が複雑になりコストアップの要因となる。
【０００８】
そこで、本考案は前記した従来のボタン電池収納構造の不具合点を解消し、高齢者など指先に力が入らない者でも容易にボタン電池の交換を行えるようにすると共に、ボタン電池のそれぞれの極と導通片を確実に接触させることができるようになしたボタン電池の収納構造及び当該収納構造を具備した照明ユニットを提供することを目的とするものである。
【課題を解決するための手段】
【０００９】
上記課題を解決するための本考案の構成を詳述すれば、請求項１に係る考案は、ユニット本体をなす下ハウジングと、この下ハウジングの上面に取付けられる上ハウジングと、この上ハウジングに設けられたボタン電池の出し入れを行うための開口部を覆う電池蓋とによって形成される電池収納室内にボタン電池を交換可能にセットするボタン電池の収納構造において、前記下ハウジングには前記ボタン電池を載置する一対の受けリブを突設し、当該受けリブにボタン電池を出し入れする際に当該ボタン電池を傾斜させることができる凹陥部を形成すると共に、受けリブの先端部にボタン電池の側部を抑えることができる湾曲状のガイド部を連成し、且つボタン電池の陰極側に接触し得る陰極導通片を前記一対の受けリブの間に配設してなり、前記上ハウジングにはボタン電池の陽極側に接触する陽極導通片を押接する複数の抑えリブを下向きに突設してなることを特徴とするボタン電池の収納構造である。
【００１０】
また、請求項２に係る考案は、ユニット本体をなす下ハウジングと、この下ハウジングの上面に取付けられる上ハウジングと、この上ハウジングに設けられたボタン電池の出し入れを行うための開口部を覆う電池蓋と、前記下ハウジング、上ハウジング及び電池蓋によって形成される電池収納室内に交換可能にセットされるボタン電池と、このボタン電池から供給される電力によって点灯する発光ダイオードと、スライドスイッチ部を具備した小型照明ユニットであって、前記下ハウジングには前記ボタン電池を載置する一対の受けリブを突設し、当該受けリブにボタン電池を出し入れする際に当該ボタン電池を傾斜させることができる凹陥部を形成すると共に、受けリブの先端部にボタン電池の側部を抑えることができる湾曲状のガイド部を連成し、且つボタン電池の陰極側に接触し得る陰極導通片を前記一対の受けリブの間に配設してなり、前記上ハウジングにはボタン電池の陽極側に接触する陽極導通片を押接する複数の抑えリブを下向きに突設してなることを特徴とするボタン電池の収納構造を具備した照明ユニットである。
【考案の効果】
【００１１】
本考案に係る収納構造によった場合は、下ハウジングに突設してある受けリブに凹陥部を形成してあるので、ボタン電池は当該凹陥部によって傾斜させられ、指先でつかみ易いと共に、電池収納室内にボタン電池を装填した状態においてはボタン電池の側部が受けリブに連成してあるガイド部によって保持され、且つ上ハウジングの抑えリブによって陽極導通片を介して押接された状態となるので導通不良等の不具合を防止することができるものである。
【００１２】
また、本考案に係る照明ユニットによった場合は、発光ダイオードに電力を供給するボタン電池の装填及び取出しが容易になると共に、発光ダイオードに繋がる陰極導通片及び陽極導通片をボタン電池のそれぞれの電極に確実に接触させることができ、照明ユニット本来の機能を充分発揮させることができるものである。
【図面の簡単な説明】
【００１３】
【図１】本考案に係るボタン電池収納構造を具備した照明ユニットの一実施形態を示す電池蓋を外した状態の平面図である。
【図２】電池蓋を取付けた状態における図１のＡ―Ａ線に沿った断面図である。
【図３】図２のＢ―Ｂ線に沿った拡大断面図である。
【図４】電池収納室からボタン電池を取出すときの説明図である。
【図５】電池収納室内にボタン電池を装填したときの説明図である。
【図６】ボタン電池の保持方法の従来例を示す断面図である。
【００１４】
以下、本考案の具体的構成を図示の実施形態について詳細に説明する。
【００１５】
図中１はユニット本体の全体を示し、当該ユニット本体１は下ハウジング２と、この下ハウジング２の上面に取付けられる上ハウジング３と、この上ハウジング３に設けられたボタン電池４の出し入れを行うための開口部５を覆う電池蓋６とから構成される。
【００１６】
７は前記下ハウジング２、上ハウジング３及び電池蓋６によって形成される電池収納室を示し、当該電池収納室７は電池蓋６をユニット本体１から取り外すことによって露出状態となる。
【００１７】
本考案は前記電池収納室７内にボタン電池４を交換可能にセットするボタン電池４の収納構造に関するものであって、図中８は電池収納室７内の下ハウジング２に突設した一対の受けリブである。この一対の受けリブ８，８は所定の間隔を開けて左右対称となるように配置してあり、その中間部分にはボタン電池４を出し入れする際に当該ボタン電池４を傾斜させることができる凹陥部９，９を形成してある。
【００１８】
すなわち、下ハウジング２に突設した一対の受けリブ８，８の上面は同一レベルとなっておらず、中間部分に凹陥部９，９を凹設してあるので、開口部５から電池収納室７内にボタン電池４を挿入すると、ボタン電池４は凹陥部９，９に沿って傾斜した状態となり、さらに奥まで挿入すると凹陥部９，９の終端テーパ部によって案内されて受けリブ８，８の上面に水平状態に載置された状態となる。
【００１９】
一対の受けリブ８，８の先端部にはボタン電池４の側部を抑えることができる湾曲状のガイド部１０，１０を連成してある。なお、ガイド部１０，１０の高さは、図示の実施形態ではボタン電池４の隅角部に当接し得る程度の僅かな高さとなっているが、図示するより高く設定しても何ら問題はない。
【００２０】
１１はボタン電池４の陰極側に接触し得る陰極導通片であり、当該陰極導通片１１は前記一対の受けリブ８，８の間の空間を通して先端折り曲げ部がボタン電池４の陰極側に接触できるようになっている。なお、１２は下ハウジング２に摺動可能に付設したスライドスイッチ部であり、図２の矢印方向にスライドさせると陰極導通片１１の先端部が押し上げられてボタン電池４の陰極側に押接される。
【００２１】
１３は前記上ハウジング３の内側に突設した複数の抑えリブであり、当該抑えリブ１３はボタン電池４の陽極側に接触する陽極導通片１４を押接する作用をなす。なお、図示の実施形態では抑えリブ１３の突設個数を３個としてあるが、陽極導通片１４をボタン電池４の陽極側に接触させることができる限りにおいて、その個数は増減が可能である。
【００２２】
本考案に係るボタン電池の収納構造は、以上のように、凹陥部９，９を形成した一対の受けリブ８，８を下ハウジング２に突設してあるので、ボタン電池４を凹陥部９，９に沿って傾斜させることができ、電池収納室７内へのボタン電池４の出し入れをスムーズに行うことができる。また、ボタン電池４の先端側部は受けリブ８，８に設けてあるガイド部１０，１０によって抑えられるので、上ハウジング３に突設してある抑えリブ１３と相俟って電池収納室７内のボタン電池４を安定した状態で保持することができる。
【００２３】
次に、上記したボタン電池の収納構造を小型照明ユニットに応用した場合につき説明するが、凹陥部９，９を備えた受けリブ８，８、上ハウジング３に突設した抑えリブ１３については上記と何ら変わるところがないので説明を省略する。
【００２４】
図中１５はユニット本体１内に配設した発光ダイオードであり、１６は当該発光ダイオード１５の陰極端子である。陰極端子１６と前記陰極導通片１１はビス等公知の結合手段を用いて電気的且つ機械的に接続され下ハウジング２に固定されている。１７は前記発光ダイオード１５の陽極端子であり、当該陽極端子１７は前記陽極導通片１４に電気的に繋げられている。
【００２５】
従って、スライドスイッチ部１２を図２の矢印方向にスライドさせると、陰極導通片１１の先端部が上に押し上げられ、ボタン電池４の陰極側に押接され、発光ダイオード１５が点灯する。
【００２６】
電池交換のときは、スライドスイッチ部１２を図２の矢印方向と逆の方向にスライドさせて、発光ダイオード１５の点灯回路を開いてから、電池蓋６を取り外し、露出したボタン電池４の手前側を上につまみあげればボタン電池４は受けリブ８，８の凹陥部９，９によって傾斜させられるので容易に取り出すことができるものである。
【００２７】
逆に、新しいボタン電池４を電池収納室７内に収納する場合は、開口部５からボタン電池４の先端を受けリブ８，８方向に挿入すると、ボタン電池４は受けリブ８，８の凹陥部９，９に沿って傾斜した状態となり（図４）、さらに押し進めるとボタン電池４は凹陥部９，９から外れて受けリブ８，８に設けてあるガイド部１０，１０に当接して、当該ガイド部１０，１０によって側部が抑えられることになる。
【００２８】
このように、ボタン電池４は下ハウジング２に突設してある一対の受けリブ８，８と、ガイド部１０，１０、上ハウジング３に突設してある抑えリブ１３によって保持され、陰極端子１６に繋がる陰極導通片１１及び陽極端子１７に繋がる
陽極導通片１４を介してボタン電池４の電力が安定した状態で発光ダイオード１５に供給される。
【符号の説明】
【００２９】
１：ユニット本体
２：下ハジング
３：上ハジング
４：ボタン電池
５：開口部
６：電池蓋
７：電池収納室
８：受けリブ
９：凹陥部
１０：ガイド部
１１：陰極導通片
１２：スライドスイッチ部
１３：抑えリブ
１４：陽極導通片
１５：発光ダイオード
１６：陰極端子
１７：陽極端子
【図１】
0003170399.tif 000003
【図２】
0003170399.tif 000004
【図３】
0003170399.tif 000005
【図４】
0003170399.tif 000006
【図５】
0003170399.tif 000007
【図６】
0003170399.tif 000008